(57)【要約】      （修正有）【課題】  使用者が任意の目的箇所に指圧効果を得ることができる健康器具に関し、指圧するため腕を肘の高さに上げたり、力が必要で腕の疲労感が卓越し、指圧感を感受できない、握力のみで揉み解すので腕に疲労が蓄積する、器具が大掛かりになる等を解決した健康器具を提供する。【解決手段】  基部フレーム１に取りつけた引張り帯４を、身体前方斜め下方に引張ることで指圧駒３に下方への押込み力を与える構造として、腕は肘より低い位置を支点として回転運動できようになり、疲労感を軽減できる。引張り帯４の長さ調節で、足首を支点とした回転運動で操作ができる。引張り帯４に設けた取付金具で、椅子の背、ベッドのフレーム、使用者自身のベルト等に取りつけるようにして、座版のような大掛かりな装置を不要にできる。指圧駒に作用する下方に押す力の半分で引張り帯を下方に引けば良く、腕、足の疲労感を軽減できる。【選択図】    図１
2005034590.tif 000002
【特許請求の範囲】
【請求項１】
略円周状（円周を任意の寸法に切断した形状）又は、複数の曲がり部又は屈折節を持つ直線で構成する略ハの字状の基部フレーム（１）と、その基部フレームの底面に取りつけられた緩衝材（２）と、基部フレームの中央部に設けた開口部に挿入された指圧駒（３）、及びその指圧駒の頂部を通り基部フレーム両端方向に延びる引張り帯（４）から成る器具で、目的とする部位に指圧駒の先端を合致させるように基部フレームを装着した後、引張り帯を引く事で指圧駒が下方に押し込まれ、必要な部位に指圧力を作用させる事が出来る器具。
【請求項２】
請求項１の内、頂部に引っ張り帯の滑落防止溝又は滑落防止壁を設け、先端部は基部フレームからの抜け出し防止の為の張りだし部を設けた、略円錐台又は球状の突起を持った指圧駒の構造。
【発明の詳細な説明】
【技術分野】
【０００１】  使用者が自身の手又は足の作用により、任意の目的ヶ所に簡単に指圧効果を得ることが出来る、医療用、家庭用、事務所用の健康器具。
【背景技術】
【０００２】  従来より手動によるものや、電動その他の動力を利用した指圧器具は多く開発されている。なかでも手軽で安価な手動による指圧器具は多種であり、形状、機構から大略下記のように整理される。
（１）鉤型形状の棒状器具の先端を指圧部とし、他端を手で下方に押すことで指圧力を        得る方法を主体とした器具。
（２）逆Ｕ型の器具の端部に義指構造を持ち、他端の握り部に手動で握力を作用させる        と、先端の義指が揉み解す作用をする器具。
（３）座版に取りつけられた棒状のアームを持つ器具で、座版を使用者自身の体重で押        さえることで反力とし、手動で棒状アームを引くことで、棒状アームの中央に設        置した突起で指圧効果を得る器具。
【特許文献１】特開平７−２５５８１７
【特許文献２】特開兵７−３０８３６１
【特許文献３】実開平６−７４１４４２
【発明の開示】
【発明が解決しようとする課題】
【０００３】  従来技術には次のような課題が見受けられる。
（１）鉤型形状の棒状器具では、指圧を作用させるために腕を肘の高さかそれ以上に上        げる必要があり、しかも指圧力と同等の力が必要となり、腕の疲労感が卓越して        しまい、指圧の快感を充分に感受できない。
（２）逆Ｕ型の器具の場合、握力のみで揉み解す力としなければならず、逆に腕に疲労        が蓄積してしまう。
（３）座版に取りつけられた棒状アームを持つ器具は、上記２種の器具よりは腕の疲労        感は少ないが、座版に反力を取らせているので、器具が比較的大掛かりになり、        持ち運びや使用時の設定に難点がある。
【課題を解決するための手段】
【０００４】  本発明は以下の手段により課題の解決を行った。
基部フレームに取りつけられた引張り帯を、身体前方斜め下方に引張ることにより、指圧駒に下方への押込み力をあたえる構造としたことで、腕は肘より低い位置の肘を支点とした回転運動となり、腕の疲労感を軽減する事ができる。又、引張り帯の長さを調節すれば、足首を支点とした回転運動で操作可能となる。引張り方向と反対側の引張り帯に設けた取付金具で、椅子の背、ベッドのフレーム、使用者自身のベルト等適当な場所に取りつけることで、反力を取らせる事が出来、座版のような大掛かりな装置が必要ではなくなる。引張り端と反力端にて中央の指圧駒を下方に押すので、指圧駒に作用する下方の力の半分で引張り帯を下方に引けば良く、その分腕、足の疲労感を少なくすることが出来る。
【発明の効果】
【０００５】  本発明は従来の技術に比べ次のような効果が得られる。
（１）軽量で簡単な器具を使い、使用者自身の作業で指圧効果を得ることが出来る。
（２）腕のみならず、足の力を利用出来るので、使用中の疲労感が少ない。
（３）足を使用できるので両手が自由になり、他の作業のついでに指圧効果を得る事が        出来る。
（４）反力を取る金具の取り付け対象は、椅子、ベッド、使用者自身のベルト等自由度        が大きく、気軽にどこでも使用する事ができる。
【発明を実施するための最良の形態】
【０００６】  図１は本発明の全体の立体図である。図１は、当該指圧器の反力金具（５）を椅子やベッド枠に取りつけて使用する場合を示す。反力金具を取り付けた後、指圧駒（３）を目的の部位に当て、引張り帯（４）を前方に少しの力で引くことで、引張り帯（４）が充分張った状態に調節する事が出来る。その後、引張り帯（４）を前方下方向へ引くことで指圧駒（３）を下方へ押込み、指圧力を得る事ができる。【０００７】  図２は、当該指圧器具の反力金具（５）を、使用者自身のベルト等に取り付けて使用する場合を示す。反力金具（５）を取り付け後の操作は前記と同様である。このの場合、座った状態、立ちあがった状態、横になった状態の様々な状態で使用することが可能となる。【０００８】  図３は、反力金具に反力用錘（７）を取りつけて使用する場合である。【０００９】  図４は、反力用錘（７）を基部フレー厶底面に取りつけた場合である。基部フレーム（１）に直接重量材（８）を取り付けて引張り力と釣り合わせる事で、反力金具（５）の取り付け作業が不用となり、操作性が良好となる。【００１０】  図５は、基部フレーム（１）を屈折節（１０）を持った直線部材の組合せにした場合である。略円周形状の基部フレーム（１）と同様、底面に緩衝材（２）を取りつけることで、押込み力に対する人体の傷み防止や、器具と人体の接触を良好に保つ事ができる。【００１１】  図６は、指圧駒（３）の形状を示す。指圧駒（３）の先端部は指圧効果が充分得られるように、略逆円錐台形状または半球状とするが、使用者の好みに合わせて形状、材質を変化させることで、使用者自身に合った指圧力を得ることができる。材質は、硬質プラスチック、鋼、木、竹等を使用する。指圧力の調節には、指圧駒本体の先端にゴム等の弾力性を有する素材を取りつけることで、人間の指に近い感覚を得る事ができる。又、指圧駒（３）の頂部は、引張り帯の滑落を防止する目的で、引張り帯通し溝（６）または、滑落防止壁（９）を設ける。
【図面の簡単な説明】
【００１３】
【図１】本発明を使用する場合の立体図
【図２】本発明を椅子等の外部反力を利用して使用する場合の側面図
【図３】本発明を本体に取りつけた錘を反力として使用する場合の側面図
【図４】本発明を使用者自身を反力体として使用する場合の側面図
【図５】基部フレーム底面に取りつけた錘を反力とする場合の側面図
【図６】屈折節を持ったハの字型の基部フレームの側面図
【図７】指圧駒の立体図
【符号の説明】
【００１４】１  基部フレーム
２  緩衝材
３  指圧駒
４  引張り帯
５  反力金具
６  引張り帯通し溝
７  錘
８  重量材
９  滑落防止壁
１０  屈折節
【図１】
2005034590.tif 000003
【図２】
2005034590.tif 000004
【図３】
2005034590.tif 000005
【図４】
2005034590.tif 000006
【図５】
2005034590.tif 000007
【図６】
2005034590.tif 000008
【図７】
2005034590.tif 000009